(57)【要約】      （修正有）【課題】光ファイバの光接続が容易になる光ファイバと基板との接続構造を提供する。【解決手段】接続構造は、第１基板１０ａと、第１コネクタ２０ａと、第２コネクタ３０ａと、光ファイバアレイ４０と、第２光ファイバとを備えている。第１コネクタ２０ａは第１基板１０ａの第１実装領域１１ａ上に実装され、並列に配置された複数の第１変換部２１ａ、２２ａを有する。第２コネクタ３０ａは第１基板１０ａの第２実装領域１２ａ上に実装され、第２変換部３１ａ、３２ａを有する。光ファイバアレイ４０は、第１光ファイバ４１の第１端部４１ａが直線状に延び、且つ並列で並べられている。第１端部４１ａは第１コネクタ２０ａに接続され、第１変換部に各々光接続されている。第２光ファイバの第１端部５１は湾曲し、第２コネクタ３０ａに接続され且つ第２変換部に光接続されている。【選択図】図２
2018081120.tif 000002
【特許請求の範囲】
【請求項１】
第１実装領域及び前記第１実装領域よりも第１方向の一方の成分を含む方向及び前記第１方向の他方の成分を含む方向の少なくとも一方に設けられた第２実装領域を有する第１基板と、
前記第１基板の前記第１実装領域上に実装された第１コネクタと、
前記第１基板の前記第２実装領域上に実装された第２コネクタと、
複数の第１光ファイバを有する光ファイバアレイと、
第２光ファイバとを備えており、
前記第１コネクタは、前記第１方向に並列に配置された複数の第１変換部を有し、前記第１変換部は第１光電変換部及び第１電光変換部の少なくとも一方であり、
前記第２コネクタは、第２変換部を有し、前記第２変換部は、第２光電変換部及び第２電光変換部の何れか一方であり、
前記第１光ファイバは、第１端部を有しており、前記第１光ファイバの前記第１端部は、前記第１方向に直交する第２方向に直線状に延び、且つ前記第１方向に並列で並べられており、前記第１光ファイバの前記第１端部は、前記第１コネクタに接続され、前記第１変換部に各々光接続されており、
前記第２光ファイバは、第１端部を有しており、前記第２光ファイバの前記第１端部は、前記第１方向の一方の成分を含む方向及び前記第１方向の他方の成分を含む方向の少なくとも一方に湾曲し、前記第２コネクタに接続され、且つ前記第２変換部に光接続されている光ファイバと基板との接続構造。
【請求項２】
請求項１記載の光ファイバと基板との接続構造において、
前記第２光ファイバは、前記光ファイバアレイの前記第１方向の一方の端及び前記第１方向の他方の端の少なくとも一方に隣接配置されており、
前記接続構造は、前記第２光ファイバと前記光ファイバアレイとを部分的に被覆する外皮を更に備えており、
少なくとも前記第１光ファイバの前記第１端部及び前記第２光ファイバの前記第１端部は、前記外皮から露出している光ファイバと基板との接続構造。
【請求項３】
請求項１〜２の何れかに記載の光ファイバと基板との接続構造において、
前記第１光ファイバの前記第１端部は、前記第１コネクタに前記第２方向の一方側から接続されており、
前記第２光ファイバの前記第１端部は、前記第２コネクタに前記第２方向の一方側から接続されており、
前記第２実装領域が複数であり、前記第１方向で隣り合う一方の第２実装領域及び他方の第２実装領域とを含み、前記他方の第２実装領域は、前記一方の第２実装領域よりも前記第１実装領域から前記第１方向において遠く離れた位置且つ前記一方の第２実装領域よりも前記第２方向の一方側の位置に位置している光ファイバと基板との接続構造。
【請求項４】
請求項１〜３の何れかに記載の光ファイバと基板との接続構造において、
前記第２光ファイバは、前記第１光ファイバよりも低速の光信号を伝送可能な構成である光ファイバと基板との接続構造。
【請求項５】
請求項１〜４の何れかに記載の光ファイバと基板との接続構造において、
前記第２コネクタの前記第２変換部は複数であり、
前記第２光ファイバは複数であり、前記第２コネクタに接続され、且つ前記複数の第２変換部に各々光接続されている光ファイバと基板との接続構造。
【請求項６】
請求項１〜５の何れかに記載の光ファイバと基板との接続構造と、
前記第１基板を内蔵した第１電子機器と、
第２電子機器とを備えており、
前記第１光ファイバは、当該第１光ファイバの前記第１端部の反対側の第２端部を更に有しており、
前記第２光ファイバは、当該第２光ファイバの前記第１端部の反対側の第２端部を更に有しており、
前記第２電子機器は、前記第１光ファイバの前記第２端部及び前記第２光ファイバの前記第２端部に接続されている光伝送システム。
【発明の詳細な説明】
【技術分野】
【０００１】
本発明は、光ファイバと基板との接続構造及びこれを備えた光伝送システムに関する。
【背景技術】
【０００２】
従来の接続構造は、下記特許文献１に記載されている。この接続構造は、複数の第１光ファイバと、第２光ファイバと、複数の第１光電変換部と、複数の第１電光変換部と、複数の第２光電変換部と、複数の第２電光変換部と、光分波部と、光合波部とを備えている。第１光ファイバは、画像表示信号などの高速の光信号を伝送可能な構成である。各第１光ファイバの第１端部が、光分波部を介して第１光電変換部に光接続されている。各第１光ファイバの第２端部が、光合波部を介して第１電光変換部に光接続されている。第２光ファイバは、制御信号などの低速の光信号を伝送可能な構成である。第２光ファイバの第１端部が、第２光電変換部に光接続されている。第２光ファイバの第２端部が、第２電光変換部に光接続されている。
【先行技術文献】
【特許文献】
【０００３】
【特許文献１】特開２００３−２７３８３４号公報
【発明の概要】
【発明が解決しようとする課題】
【０００４】
従来の接続構造は、各第１光ファイバを第１光電変換部及び第１電光変換部に光接続し、且つ第２光ファイバを第２光電変換部及び第２電光変換部に光接続しなければならないため、第１光ファイバ及び第２光ファイバの光接続が面倒である。
【０００５】
本発明は、上記事情に鑑みて創案されたものであって、その目的とするところは、光ファイバの光接続が容易になる光ファイバと基板との接続構造及びこれを備えた光伝送システムを提供することにある。
【課題を解決するための手段】
【０００６】
上記課題を解決するために、本発明の一態様の光ファイバと基板との接続構造は、第１基板と、第１コネクタと、第２コネクタと、光ファイバアレイと、第２光ファイバとを備えている。第１基板は、第１実装領域及び第２実装領域を有する。第２実装領域は、第１実装領域よりも第１方向の一方の成分を含む方向及び第１方向の他方の成分を含む方向の少なくとも一方に設けられている。第１コネクタは、第１基板の第１実装領域上に実装されている。第１コネクタは、第１方向に並列に配置された複数の第１変換部を有している。第１変換部は、第１光電変換部又は第１電光変換部の少なくとも一方である。第２コネクタは、第１基板の第２実装領域上に実装されている。第２コネクタは、第２変換部を有している。第２変換部は、第２光電変換部及び第２電光変換部の何れか一方である。光ファイバアレイは、複数の第１光ファイバを有している。第１光ファイバは、第１端部を有している。第１光ファイバの第１端部は、第１方向に直交する第２方向に直線状に延び、且つ第１方向に並列で並べられている。第１光ファイバの第１端部は、第１コネクタに接続され、第１変換部に各々光接続されている。第２光ファイバは、第１端部を有している。第２光ファイバの第１端部は、第１方向の一方の成分を含む方向及び第１方向の他方の成分を含む方向の少なくとも一方に湾曲し、第２コネクタに接続され、且つ第２変換部に光接続されている。
【０００７】
このような態様の接続構造は、以下の技術的特徴を有している。第１に、第１光ファイバの第１変換部に対する光接続が容易になる。その理由は以下の通りである。第１光ファイバの第１端部が、第２方向に直線状に延び、且つ第１方向に並列で並べられたままの状態で、第１コネクタに接続され、当該第１光ファイバの第１端部が第１変換部に一度に光接続される。第２に、第２光ファイバの第２変換部に対する光接続が容易になる。その理由は以下の通りである。第２光ファイバの第１端部が第１方向の一方の成分を含む方向及び第１方向の他方の成分を含む方向の少なくとも一方に湾曲しているので、第１コネクタの第１方向の一方の成分を含む方向及び第１方向の他方の成分を含む方向の少なくとも一方に配置された第２コネクタに容易に接続させることができる。よって、第２光ファイバの第１端部が第２コネクタの第２変換部に容易に光接続させる。
【０００８】
第２光ファイバは、光ファイバアレイの第１方向の一方の端及び第１方向の他方の端の少なくとも一方に隣接配置されていても良い。上記接続構造は、第２光ファイバと光ファイバアレイとを部分的に被覆する外皮を更に備えた構成とすることが可能である。少なくとも第１光ファイバの第１端部及び第２光ファイバの第１端部は、外皮から露出した構成とすることが可能である。このような態様の接続構造による場合、光ファイバアレイ及び第２光ファイバが外皮によって部分的に束ねられているので、光ファイバアレイ及び第２光ファイバの取り扱いが容易になる。
【０００９】
第１光ファイバの第１端部は、第１コネクタに第２方向の一方側から接続された構成とすることが可能である。第２光ファイバの第２端部は、第２コネクタに第２方向の一方側から接続された構成とすることが可能である。第２実装領域が複数とすることが可能である。複数の第２実装領域は、第１方向で隣り合う一方の第２実装領域及び他方の第２実装領域とを含んでいても良い。他方の第２実装領域は、一方の第２実装領域よりも第１実装領域から第１方向において遠く離れた位置且つ一方の第２実装領域よりも第２方向の一方側の位置に位置していても良い。
【００１０】
このような態様の接続構造は、複数の第２光ファイバを第２コネクタに接続させやすくなる。その理由は以下の通りである。他方の実装領域上の第２コネクタは、一方の第２実装領域上の第２コネクタよりも、第１コネクタから遠くに位置し且つ第２方向の一方側に位置している。換言すると、他方の実装領域上の第２コネクタは、一方の第２実装領域上の第２コネクタよりも第２方向の一方側に位置ずれしている。よって、隣り合う第２光ファイバの第１端部を第２コネクタに接続するときに、第２光ファイバの第１端部同士が干渉し難くなる。
【００１１】
第２光ファイバは、第１光ファイバと同一又は異なる心線種を有する構成とすることが可能である。例えば、第２光ファイバは、第１光ファイバよりも低速の光信号を伝送可能な構成とすることが可能である。
【００１２】
第２コネクタの第２変換部は複数とすることが可能である。第２光ファイバも複数とすることが可能である。第２コネクタも複数とすることが可能である。
【００１３】
複数の第２光ファイバは、複数の第２コネクタに各々接続され、且つ当該第２コネクタの第２変換部に光接続された構成とすることが可能である。又は、複数の第２光ファイバは、一つの第２コネクタに接続され、且つ複数の第２変換部に各々光接続された構成とすることが可能である。
【００１４】
第１光ファイバは、当該第１光ファイバの第１端部の反対側の第２端部を更に有する構成とすることが可能である。第２光ファイバは、当該第２光ファイバの第１端部の反対側の第２端部を更に有する構成とすることが可能である。
【００１５】
上記した何れかの態様の接続構造は、第２基板を更に備えた構成とすることが可能である。第２基板は、第１光ファイバの第２端部及び／又は第２光ファイバの第２端部が接続されたコネクタを有する構成とすることが可能である。
【００１６】
本発明の一態様の光伝送システムは、上記した何れかの態様の接続構造と、第１電子機器と、第２電子機器とを備えている。第１電子機器は、第１基板を内蔵している。第２電子機器は、第１光ファイバの第２端部及び第２光ファイバの第２端部が接続された構成とすることが可能である。又は、接続構造が第１光ファイバの第２端部及び第２光ファイバの第２端部に各々接続された複数のコネクタを有する第２基板を備えている場合、第２電子機器は、第２基板を内蔵した構成とすることが可能である。この場合、第２電子機器は、内蔵した第２基板を介して、第１光ファイバの第２端部及び第２光ファイバの第２端部が接続された構成となる。又は、接続構造が第１光ファイバの第２端部又は第２光ファイバの第２端部に接続されたコネクタを有する第２基板を備えている場合、第２電子機器は、第２基板を内蔵しており、且つ第１光ファイバの第２端部又は第２光ファイバの第２端部が接続された構成とすることが可能である。この場合、第２電子機器は、内蔵した第２基板を介して、第２光ファイバの第２端部又は第１光ファイバの第２端部が接続された構成となる。
【図面の簡単な説明】
【００１７】
【図１】本願の実施例の一態様に係る光ファイバと基板との接続構造の概略的斜視図である。
【図２】前記接続構造のＹ方向側の構成の概略的ブロック図である。
【図３】前記接続構造のＹ’方向側の構成の概略的ブロック図である。
【発明を実施するための形態】
【００１８】
以下、本発明の実施例に係る接続構造Ｓについて図１及び図２を参照しつつ説明する。接続構造Ｓは、第１基板１０ａと、少なくとも一つの第１コネクタ２０ａと、少なくとも一つの第２コネクタ３０ａと、光ファイバアレイ４０と、少なくとも一つの第２光ファイバ５０とを備えている。なお、図２及び図３に示されるＸ−Ｘ’方向は、光ファイバアレイ４０の後述する複数の第１光ファイバ４１の配列方向に相当し且つ特許請求の範囲の第１方向に相当する。Ｘ−Ｘ’方向のうちのＸ方向が第１方向の一方に相当し、Ｘ’方向が第１方向の他方に相当する。図２及び図３に示されるＹ−Ｙ’方向は、特許請求の範囲の第２方向に相当している。Ｙ−Ｙ’方向は、Ｘ−Ｘ’方向に直交している。Ｙ−Ｙ’方向のうちのＹ’方向は第２方向の一方に相当し、Ｙ方向は第２方向の他方に相当している。
【００１９】
少なくとも一つの光ファイバアレイ４０は、複数の第１光ファイバ４１と、樹脂部４２（例えば、テープ心線）とを有している。第１光ファイバ４１は、Ｙ方向の第１端部４１ａを有している。第１光ファイバ４１は、少なくとも第１端部４１ａがＹ−Ｙ’方向に直線状に延び、Ｘ−Ｘ’方向に並列に並べられていても良いし、第１光ファイバ４１全体（第１端部４１ａを含む。）がＸ−Ｘ’方向に並列に並べられていても良い。樹脂部４２は、光硬化性樹脂等である。樹脂部４２は、複数の第１光ファイバ４１の少なくとも一部を一括被覆している。樹脂部４２は、第１光ファイバ４１全体を一括被覆していても良い。第１光ファイバ４１の第１端部４１ａは、樹脂部４２から樹脂部４２外に露出していても良いし、樹脂部４２に被覆されていても良い。ただし、後者の場合、第１端部４１ａの光路（コア）は、樹脂部４２から樹脂部４２外に露出している。
【００２０】
図１〜図３では、光ファイバアレイ４０は二つであり、一方の光ファイバアレイ４０と他方の光ファイバアレイ４０とを含む。二つの光ファイバアレイ４０の各々は、第１光ファイバ４１全体がＸ−Ｘ’方向に並列に並べられており、樹脂部４２に被覆されている。なお、図２及び図３では、図示の便宜上、光ファイバアレイ４０のＸ−Ｘ’方向の寸法が、第２光ファイバ５０のＸ−Ｘ’方向の寸法よりも大きく表されている。しかし、これは、光ファイバアレイ４０及び第２光ファイバ５０のＸ−Ｘ’方向の実際の寸法ではない。
【００２１】
第１基板１０ａは、光ファイバアレイ４０のＹ方向側に配置されている。第１基板１０ａは、少なくとも一つの第１実装領域１１ａを有している。第１実装領域１１ａは、第１基板１０ａの任意の一部の領域である。第１実装領域１１ａは複数とすることが可能である。図１及び図２では、第１基板１０ａは、二つの第１実装領域１１ａを有している。二つの第１実装領域１１ａは、第１基板１０ａにＸ−Ｘ’方向に間隔をあけて設けられている。
【００２２】
少なくとも一つの第１コネクタ２０ａは第１基板１０ａの第１実装領域１１ａ上に実装されている。第１コネクタ２０ａは、ボディと、複数の第１変換部とを有している。第１変換部は、第１光電変換部２１ａ及び複数の第１電光変換部２２ａの少なくとも一方である。第１変換部は、第１コネクタ２０ａ内にＸ−Ｘ’方向に並列に配置されており且つ第１基板１０ａに接続されている。すなわち、第１変換部は、光ファイバアレイ４０の第１光ファイバ４１の位置に対応するように配置されている。例えば、第１コネクタ２０ａのボディがＹ’方向に開口した接続孔を有している場合、第１変換部は、接続孔のＹ方向の奥部に第１光ファイバ４１の位置に対応するようにＸ−Ｘ’方向に並列に設けられていても良いし、接続孔の天井部又は底部に第１光ファイバ４１の位置に対応するようにＸ−Ｘ’方向に並列に設けられていても良い。
【００２３】
複数の第１光ファイバ４１の第１端部４１ａは、Ｙ’方向側から第１コネクタ２０ａに接続され、第１端部４１ａの光路が複数の第１変換部に各々光接続されている。すなわち、第１端部４１ａは、Ｙ−Ｙ’方向に直線状に延び、且つＸ−Ｘ’方向に並列に並べられたままの状態で、第１端部４１ａの光路が第１変換部に各々光接続されている。なお、第１端部４１ａの光路は、図示しないミラー、レンズ、光合波部又は光分波部を介して複数の第１変換部に各々光接続されていても良い。ミラー、レンズ、光合波部又は光分波部は、第１端部４１ａ内に設けられていても良いし、第１コネクタ２０ａ内に設けられていても良い。
【００２４】
各第１光電変換部２１ａは、フォトダイオード等の受光素子であって、各第１光ファイバ４１から入射した光信号を電気信号に変換し、第１基板１０ａの図示しない各第１信号ラインに出力する構成となっている。各第１電光変換部２２ａは、半導体レーザー、や発光ダイオード等の発光素子であって、第１基板１０ａの図示しない別の各第１信号ラインから入力された電気信号を光信号に変換し、変換した光信号を各第１光ファイバ４１に出射する構成となっている。
【００２５】
図１及び図２では、二つの第１コネクタ２０ａが二つの第１実装領域１１ａ上に各々実装されている。二つの第１コネクタ２０ａは、Ｘ方向側の第１コネクタ２０ａとＸ’方向側の第１コネクタ２０ａを含む。Ｘ方向側の第１コネクタ２０ａは、接続孔のＹ方向の奥部にＸ−Ｘ’方向に並列に設けられた第１光電変換部２１ａを有する。Ｘ’方向側の第１コネクタ２０ａは、接続孔のＹ方向の奥部にＸ−Ｘ’方向に並列に設けられた第１電光変換部２２ａを有する。二つの光ファイバアレイ４０のうちの一方の光ファイバアレイ４０の第１光ファイバ４１の第１端部４１ａがＸ方向側の第１コネクタ２０ａに接続され、複数の第１光電変換部２１ａに各々光接続されている。他方の光ファイバアレイ４０の第１光ファイバ４１の第１端部４１ａがＸ’方向側の第１コネクタ２０ａに接続され、複数の第１電光変換部２２ａに各々光接続されている。
【００２６】
少なくとも一つの第２光ファイバ５０は、第１光ファイバ４１と心線種が同一であっても良いし、異なっていても良い。例えば、第２光ファイバ５０は、第１光ファイバ４１よりも低速の光信号を伝送可能な構成とすることが可能である。第２光ファイバ５０は、光ファイバアレイ４０のＸ方向の端及びＸ’方向の端の少なくとも一方に隣接配置されていても良い。第２光ファイバ５０は、光ファイバアレイ４０のＸ方向の端及びＸ’方向の端の少なくとも一方に光ファイバアレイ４０に接触するように配置されていても良いし、光ファイバアレイ４０に間隙を有して配置されていても良い。第２光ファイバ５０は、Ｙ方向の第１端部５１を有している。
【００２７】
図１〜図３では、第２光ファイバ５０が六つであり、三つのＸ方向側の第２光ファイバ５０と、残り三つのＸ’方向側の第２光ファイバ５０とを含む。Ｘ方向側の第２光ファイバ５０が光ファイバアレイ４０のＸ方向側にＸ−Ｘ’方向に並列に並べられている。Ｘ方向側の第２光ファイバ５０うちの最も内側の第２光ファイバ５０が光ファイバアレイ４０のＸ方向の端に隣接配置され、光ファイバアレイ４０に接触している。Ｘ’方向側の第２光ファイバ５０が光ファイバアレイ４０のＸ’方向側にＸ−Ｘ’方向に並列に並べられている。Ｘ’方向側の第２光ファイバ５０うちの最も内側の第２光ファイバ５０が光ファイバアレイ４０のＸ’方向の端に隣接配置され、光ファイバアレイ４０に接触している。
【００２８】
第１基板１０ａは、少なくとも一つの第２実装領域１２ａを更に有している。第２実装領域１２ａは、第１基板１０ａの第１実装領域１１ａと別の任意の一部の領域であって、第１基板１０ａ上の第１実装領域１１ａよりもＸ方向の成分を含む方向及びＸ’方向の成分を含む方向の少なくとも一方に設けられている。第２実装領域１２ａは複数とすることが可能である。第１基板１０ａは、図示しない第１電子機器内に内蔵可能である。
【００２９】
第２実装領域１２ａが複数である場合、第２実装領域１２ａは、少なくとも一つのＸ方向側の第２実装領域１２ａと、少なくとも一つのＸ’方向側の第２実装領域１２ａとを含んでいても良い。Ｘ方向側の第２実装領域１２ａは、第１基板１０ａの少なくとも一つの第１実装領域１１ａよりもＸ方向の成分を含む方向に設けられている。Ｘ’方向側の第２実装領域１２ａは、は、Ｘ’方向の成分を含む方向の少なくとも一方に設けられている。Ｘ方向側の第２実装領域１２ａが複数である場合、Ｘ方向側の第２実装領域１２ａは、Ｘ−Ｘ’方向に間隔をあけて設けられている。Ｘ’方向側の第２実装領域１２ａが複数である場合、Ｘ’方向側の第２実装領域１２ａは、Ｘ−Ｘ’方向に間隔をあけて設けられている。Ｘ方向側の第２実装領域１２ａ及びＸ’方向側の第２実装領域１２ａが複数である場合、Ｘ方向側の第２実装領域１２ａ及びＸ’方向側の第２実装領域１２ａは、一方の第２実装領域１２ａ及び他方の第２実装領域１２ａを含んでいても良い。一方の第２実装領域１２ａ及び他方の第２実装領域１２ａは、Ｘ−Ｘ’方向で隣り合っていれば良い。他方の第２実装領域１２ａは、一方の第２実装領域１２ａよりも第１実装領域１１ａから遠く離れた位置に位置し且つ一方の第２実装領域１２ａよりもＹ’方向側の位置に位置していても良い。なお、Ｘ方向側の第２実装領域１２ａ及びＸ’方向側の第２実装領域１２ａの少なくとも一方が、３以上の第２実装領域１２ａを含んでいても良い。
【００３０】
図１及び図２では、第１基板１０ａは、複数のＸ方向側の第２実装領域１２ａと、複数のＸ’方向側の第２実装領域１２ａとを有している。Ｘ方向側の第２実装領域１２ａは、第１基板１０ａの第１実装領域１１ａよりもＸ方向側に設けられている。Ｘ’方向側の第２実装領域１２ａは、第１基板１０ａの第１実装領域１１ａよりもＸ’方向側に設けられている。Ｘ方向側及びＸ’方向側の第２実装領域１２ａの各々は、内側（第１実装領域１１ａに最も近い）の第２実装領域１２ａと、中間の第２実装領域１２ａと、外側（第１実装領域１１ａから最も遠い）の第２実装領域１２ａとを含む。内側の第２実装領域１２ａと中間の第２実装領域１２ａとはＸ−Ｘ’方向で隣り合っている。中間の第２実装領域１２ａが内側の第２実装領域１２ａよりも第１実装領域１１ａから遠く離れた位置且つ内側の第２実装領域１２ａよりもＹ’方向側の位置に位置している。中間の第２実装領域１２ａと外側の第２実装領域１２ａとはＸ−Ｘ’方向で隣り合っている。外側の第２実装領域１２ａが中間の第２実装領域１２ａよりも第１実装領域１１ａから遠く離れた位置且つ中間の第２実装領域１２ａよりもＹ’方向側の位置に位置している。
【００３１】
少なくとも一つの第２コネクタ３０ａは、第１基板１０ａの第２実装領域１２ａ上に実装されている。第２コネクタ３０ａは、ボディと、少なくとも一つの第２変換部とを有している。第２変換部は、第２光電変換部３１ａ及び第２電光変換部３２ａの何れか一方である。第２変換部は、第２コネクタ３０ａ内に設けられており且つ第１基板１０ａに接続されている。例えば、第２コネクタ３０ａのボディがＹ’方向に開口した接続孔を有している場合、第２変換部は、接続孔のＹ方向の奥部に設けられていても良いし、接続孔の天井部又は底部に設けられていても良い。
【００３２】
少なくとも一つの第２光ファイバ５０の第１端部５１は、Ｘ方向の成分を含む方向及びＸ’方向の成分を含む方向の少なくとも一方に湾曲している。第１端部５１は、Ｙ’方向側から第２コネクタ３０ａに接続され、第１端部５１の光路が第２変換部に光接続された構成とすることが可能である。なお、第２光ファイバ５０の第１端部５１の光路は、図示しないミラー、レンズ、光合波部又は光分波部を介して第２変換部に光接続されていても良い。ミラー、レンズ、光合波部又は光分波部は、第１端部５１内に設けられていても良いし、第２コネクタ３０ａ内に設けられていても良い。なお、図２では、第１端部５１は図示の便宜上、湾曲していない。
【００３３】
第２コネクタ３０ａは、複数の第２変換部を有する場合、複数の第２光ファイバ５０の第１端部５１が一つの第２コネクタ３０ａに接続され、当該第２コネクタ３０ａの複数の第２変換部に各々接続された構成とすることも可能である。この場合も、複数の第２光ファイバ５０の第１端部５１が、ミラー、レンズ、光合波部又は光分波部を介して一つの第２コネクタ３０ａの複数の第２変換部に各々光接続されていても良い。
【００３４】
第２光電変換部３１ａは、フォトダイオード等の受光素子であって、第２光ファイバ５０から入射した光信号を電気信号に変換し、第１基板１０ａの図示しない第２信号ラインに出力する構成となっている。第２電光変換部３２ａは、半導体レーザーや発光ダイオード等の発光素子であって、第１基板１０ａの図示しない別の第２信号ラインから入力された電気信号を光信号に変換し、変換した光信号を第２光ファイバ５０に出射する構成となっている。
【００３５】
図１及び図２では、第２コネクタ３０ａが六つであって、六つの第２実装領域１２ａ上に各々実装されている。この第２コネクタ３０ａは、複数のＸ方向側の第２コネクタ３０ａと、複数のＸ’方向側の第２コネクタ３０ａとを含む。Ｘ方向側の第２コネクタ３０ａは、接続孔のＹ方向の奥部に設けられた第２光電変換部３１ａを有する。Ｘ’方向側の第２コネクタ３０ａは、接続孔のＹ方向の奥部に設けられた第２電光変換部３２ａを有する。第２光ファイバ５０も六つである。このうち、複数のＸ方向側の第２光ファイバ５０の第１端部５１は、Ｘ方向側に湾曲し、Ｘ方向側の第２コネクタ３０ａに各々接続され、且つ当該Ｘ方向側の第２コネクタ３０ａの第２光電変換部３１ａに光接続されている。残りの複数のＸ’方向側の第２光ファイバ５０の第１端部５１は、Ｘ’方向側に湾曲し、Ｘ’方向側の第２コネクタ３０ａに各々接続され、且つ当該Ｘ’方向側の第２コネクタ３０ａの第２電光変換部３２ａに光接続されている。
【００３６】
接続構造Ｓは、外皮６０を更に備えていても良い。外皮６０は、光硬化性樹脂等であって、光ファイバアレイ４０及び光ファイバアレイ４０のＸ方向の端及びＸ’方向の端の少なくとも一方に隣接配置された少なくとも一つの第２光ファイバ５０の外周を部分的に一括被覆している。このようにして光ファイバアレイ４０及び少なくとも一つの第２光ファイバ５０が束ねられ、一つのケーブルとなっている。光ファイバアレイ４０のＹ方向側の端部（すなわち、第１光ファイバ４１の第１端部４１ａ及び樹脂部４２の第１端部４１ａを被覆する部分）及び第２光ファイバ５０の第１端部５１は、外皮６０に被覆されておらず、外皮６０から露出している。図１では、外皮６０は、二つの光ファイバアレイ４０、上記Ｘ方向側の第２光ファイバ５０及び上記Ｘ’方向側の第２光ファイバ５０のＹ−Ｙ’方向の両端部を除く部分を一括して被覆している。
【００３７】
接続構造Ｓは、複数の第１光電変換回路７１ａ及び／又は複数の第１電光変換回路７２ａを更に備えていても良い。第１光電変換回路７１ａ及び／又は第１電光変換回路７２ａは、第１基板１０ａ上に設けられていても良いし、第１コネクタ２０ａ内に設けられ、第１基板１０ａに接続されていても良い。第１光電変換回路７１ａは、第１基板１０ａを介して第１光電変換部２１ａに接続されている。第１光電変換回路７１ａは、第１光電変換部２１ａによって光信号から変換された電気信号に対して所定の処理を行うための回路である。第１電光変換回路７２ａは、第１基板１０ａを介して第１電光変換回路７２ａに入力された電気信号を光信号に変換可能な所定の信号に変換するための回路である。第１電光変換回路７２ａは、第１基板１０ａを介して第１電光変換部２２ａに接続されている。
【００３８】
なお、第１光電変換回路７１ａ及び／又は第１電光変換回路７２ａは省略可能である。省略される場合、第１光電変換回路７１ａ及び／又は第１電光変換回路７２ａは、図示しない別の基板等に設けられており、周知の接続手段（ケーブルやピン等）によって、第１基板１０ａに接続されていても良い。
【００３９】
接続構造Ｓは、少なくとも一つの第２光電変換回路８１ａ及び／又は第２電光変換回路８２ａを更に備えていても良い。第２光電変換回路８１ａ及び／又は第２電光変換回路８２ａは、第１基板１０ａ上に設けられていても良いし、第２コネクタ３０ａ内に設けられ、第１基板１０ａに接続されていても良い。第２光電変換回路８１ａは、第１基板１０ａを介して第２光電変換部３１ａに接続されている。第２光電変換回路８１ａは、第２光電変換部３１ａによって光信号から変換された電気信号に対して所定の処理を行うための回路である。第２電光変換回路８２ａは、第１基板１０ａを介して第２電光変換回路８２ａに入力された電気信号を光信号に変換可能な所定の信号に変換するための回路である。第２電光変換回路８２ａは、第１基板１０ａを介して第２電光変換部３２ａに接続されている。
【００４０】
なお、第２光電変換回路８１ａ及び／又は第２電光変換回路８２ａは省略可能である。省略される場合、第２光電変換回路８１ａ及び／又は第２電光変換回路８２ａは、図示しない別の基板等に設けられており、周知の接続手段（ケーブルやピン等）によって、第１基板１０ａに接続されていても良い。
【００４１】
各第１光ファイバ４１は、Ｙ’方向の第２端部４１ｂを更に有していても良い。第１光ファイバ４１の第１端部４１ａの反対側の端部である。第２端部４１ｂは、第１端部４１ａと同様の構成とすることが可能であるし、異なる構成とすることが可能である。図１及び図３では、前者である。後者の場合、例えば、第２端部４１ｂは、樹脂部４２から突出した構成とすることができる。この突出した第２端部４１ｂは、Ｙ−Ｙ’方向に直線状に延びていても良いし、湾曲していても良い。
【００４２】
少なくとも一つの第２光ファイバ５０は、Ｙ’方向の第２端部５２を更に有していても良い。第２端部５２は、第２光ファイバ５０の第１端部５１の反対側の端部である。第２端部５２は、第１端部５１と同様の構成とすることが可能であるし、異なる構成とすることも可能である。図１及び図３では、前者である。後者の場合、例えば、第２端部５２は、Ｙ−Ｙ’方向に直線状に延びていても良い。第２光ファイバ５０が複数である場合、第２光ファイバ５０の直線状の第２端部５２が図示しない樹脂（テープ心線）で一括して被覆されていても良い。
【００４３】
接続構造Ｓは、第２基板１０ｂを更に備えていても良い。第２基板１０ｂは、光ファイバアレイ４０のＹ’方向側に配置されている。第２基板１０ｂは、少なくとも一つの第１実装領域１１ｂ、第２実装領域１２ｂ及び／又は第３実装領域（図示せず）を有している。第２基板１０ｂは、上記第１基板１０ａと同様の構成とすることが可能である。第２基板１０ｂは、図示しない第２電子機器内に内蔵可能である。
【００４４】
接続構造Ｓは、少なくとも一つの第３コネクタ２０ｂを更に備えていても良い。第３コネクタ２０ｂは、第２基板１０ｂの第１実装領域１１ｂ上に実装されている以外、上記第１コネクタ２０ａと同様の構成とすることが可能である。第３コネクタ２０ｂは、複数の第１変換部を有している。第３コネクタ２０ｂの第１変換部は、第３光電変換部２１ｂ及び第３電光変換部２２ｂの少なくとも一方である。第３光電変換部２１ｂは、上記第１光電変換部２１ａと、第３電光変換部２２ｂは第１電光変換部２２ａと同様の構成とすることが可能である。
【００４５】
第１光ファイバ４１の第２端部４１ｂが第１端部４１ａと同様の構成である場合、第２端部４１ｂは、第１端部４１ａと同様に、Ｙ方向側から第３コネクタ２０ｂに接続され、第２端部４１ｂの光路が第３コネクタ２０ｂの複数の第１変換部に各々光接続されていると良い。なお、第２端部４１ｂの光路は、図示しないミラー、レンズ、光合波部又は光分波部を介して第３コネクタ２０ｂの複数の第１変換部に各々光接続されていても良い。ミラー、レンズ、光合波部又は光分波部は、第２端部４１ｂ内に設けられていても良いし、第３コネクタ２０ｂ内に設けられていても良い。
【００４６】
図３では、第３コネクタ２０ｂが二つであり、二つの第１実装領域１１ｂ上に各々実装されている。二つの第３コネクタ２０ｂは、Ｘ方向側の第３コネクタ２０ｂとＸ’方向側の第３コネクタ２０ｂを含む。Ｘ方向側の第３コネクタ２０ｂは、接続孔のＹ方向の奥部にＸ−Ｘ’方向に並列に設けられた第３電光変換部２２ｂを有する。Ｘ’方向側の第３コネクタ２０ｂは、接続孔のＹ方向の奥部にＸ−Ｘ’方向に並列に設けられた第３光電変換部２１ｂを有する。二つの光ファイバアレイ４０のうちの一方の光ファイバアレイ４０の第１光ファイバ４１の第２端部４１ｂがＸ方向側の第３コネクタ２０ｂに接続され、複数の第３電光変換部２２ｂに各々光接続されている。他方の光ファイバアレイ４０の第１光ファイバ４１の第２端部４１ｂがＸ’方向側の第３コネクタ２０ｂに接続され、複数の第３光電変換部２１ｂに各々光接続されている。
【００４７】
接続構造Ｓは、少なくとも一つの第４コネクタ３０ｂを更に備えていても良い。第４コネクタ３０ｂは、第２基板１０ｂの第２実装領域１２ｂ上に実装されている以外、上記第４コネクタ３０ｂと同様の構成とすることが可能である。第４コネクタ３０ｂは、少なくとも一つの第２変換部を有している。第４コネクタ３０ｂの第２変換部は、第４光電変換部３１ｂ及び第４電光変換部３２ｂの何れか一方である。第４光電変換部３１ｂは、上記第２光電変換部３１ａと同様の構成とすることが可能である。第４電光変換部３２ｂは、上記第２電光変換部３２ａと同様の構成とすることが可能である。
【００４８】
第２光ファイバ５０の第２端部５２が第１端部５１と同様の構成である場合、第２端部５２は、Ｘ方向の成分を含む方向及びＸ’方向の成分を含む方向の少なくとも一方に湾曲している。第２光ファイバ５０の第２端部５２は、Ｙ方向側から第４コネクタ３０ｂに接続され、第２端部５２の光路が第４コネクタ３０ｂの第２変換部に光接続された構成とすることが可能である。なお、第２光ファイバ５０の第２端部５２の光路は、図示しないミラー、レンズ、光合波部又は光分波部を介して第４コネクタ３０ｂの第２変換部に光接続されていても良い。ミラー、レンズ、光合波部又は光分波部は、第２端部５２内に設けられていても良いし、第４コネクタ３０ｂ内に設けられていても良い。なお、図３では、第２端部５２は図示の便宜上、湾曲していない。
【００４９】
第４コネクタ３０ｂが、複数の第２変換部を有する場合、複数の第２光ファイバ５０の第２端部５２が、一つの第４コネクタ３０ｂに接続され、複数の第２変換部に各々光接続された構成とすることが可能である。この場合も、複数の第２光ファイバ５０の第２端部５２が、ミラー、レンズ、光合波部又は光分波部を介して一つの第４コネクタ３０ｂの複数の第２変換部に各々光接続されていても良い。
【００５０】
図３では、第４コネクタ３０ｂが六つであって、六つの第２実装領域１２ｂ上に各々実装されている。この第４コネクタ３０ｂは、複数のＸ方向側の第４コネクタ３０ｂと、複数のＸ’方向側の第４コネクタ３０ｂとを含む。Ｘ方向側の第４コネクタ３０ｂは、接続孔のＹ方向の奥部に設けられた第４電光変換部３２ｂを有する。Ｘ’方向側の第４コネクタ３０ｂは、接続孔のＹ方向の奥部に設けられた第４光電変換部３１ｂを有する。複数のＸ方向側の第２光ファイバ５０の第１端部５１は、Ｘ方向側に湾曲し、Ｘ方向側の第４コネクタ３０ｂに各々接続され、且つ当該Ｘ方向側の第４コネクタ３０ｂの第４電光変換部３２ｂに光接続されている。残りの複数のＸ’方向側の第２光ファイバ５０の第１端部５１は、Ｘ’方向側に湾曲し、Ｘ’方向側の第４コネクタ３０ｂに各々接続され、且つ当該Ｘ’方向側の第４コネクタ３０ｂの第４光電変換部３１ｂに光接続されている。
【００５１】
接続構造Ｓは、複数の第３光電変換回路７１ｂ及び／又は複数の第３電光変換回路７２ｂを更に備えていても良い。第３光電変換回路７１ｂは、第２基板１０ｂを介して第３光電変換部２１ｂに接続されている。第３光電変換回路７１ｂは、上記第１光電変換回路７１ａと同様の構成とすることが可能である。第３電光変換回路７２ｂは、第２基板１０ｂを介して第３電光変換部２２ｂに接続されている。第３電光変換回路７２ｂは、上記第１電光変換回路７２ａと同様の構成とすることが可能である。
【００５２】
接続構造Ｓは、少なくとも一つの第４光電変換回路８１ｂ及び／又は第４電光変換回路８２ｂを更に備えていても良い。第４光電変換回路８１ｂは、第２基板１０ｂを介して第４光電変換部３１ｂに接続されている。第４光電変換回路８１ｂは、上記第２光電変換回路８１ａと同様の構成とすることが可能である。第４電光変換回路８２ｂは、第２基板１０ｂを介して第４電光変換部３２ｂに接続されている。第４電光変換回路８２ｂは、上記第２電光変換回路８２ａと同様の構成とすることが可能である。
【００５３】
少なくとも一つの光ファイバアレイ４０の第１光ファイバ４１の第２端部４１ｂが樹脂部４２から突出している場合、接続構造Ｓは、第３コネクタ２０ｂの代わりに、図示しない少なくとも一つの第５コネクタを更に備えていても良い。第５コネクタは、第２基板１０ｂの第３実装領域上に実装されている。第５コネクタは、少なくとも一つの第５変換部を有している。第５変換部は、第５光電変換部及び第５電光変換部の何れか一方である。光ファイバアレイ４０の少なくとも一つの第１光ファイバ４１の第２端部４１ｂが第５コネクタに接続され、第２端部４１ｂの光路が第５コネクタの少なくとも一つの第５変換部に光接続された構成とすることが可能である。
【００５４】
接続構造Ｓが、複数の第５コネクタを備えている場合、少なくとも一つの光ファイバアレイ４０の複数の第１光ファイバ４１の樹脂部４２から突出した第２端部４１ｂが、複数の第５コネクタに各々接続され、第２端部４１ｂの光路が当該第５コネクタの第５変換部に各々光接続された構成とすることが可能である。
【００５５】
第５コネクタが複数の第５変換部を有している場合、少なくとも一つの光ファイバアレイ４０の複数の第１光ファイバ４１の樹脂部４２から突出した第２端部４１ｂが、一つの第５コネクタに接続され、第２端部４１ｂの光路が第５コネクタの複数の第５変換部に各々光接続された構成とすることが可能である。
【００５６】
なお、接続構造Ｓは、複数の光ファイバアレイ４０を備えている場合、第３コネクタ２０ｂ及び第５コネクタを備えていても良い。任意の少なくとも一つの光ファイバアレイ４０が第３コネクタ２０ｂに接続され、別の任意の少なくとも一つの光ファイバアレイ４０の複数の第１光ファイバ４１の第２端部４１ｂが上記の通り一又は複数の第５コネクタに接続された構成とすることが可能である。
【００５７】
接続構造Ｓは、図示しない複数の第５光電変換回路及び／又は複数の第５電光変換回路を更に備えていても良い。第５光電変換回路は第１光電変換回路７１ａと同様の構成とすることが可能であり、第５電光変換回路は第１電光変換回路７２ａと同様の構成とすることが可能である。第５光電変換回路は、第２基板１０ｂを介して第５コネクタの第５光電変換部に接続されている。第５電光変換回路は、第２基板１０ｂを介して第５コネクタの第５電光変換部に各々接続されている。
【００５８】
少なくとも一つの光ファイバアレイ４０の第１光ファイバ４１の第２端部４１ｂは、第２電子機器の第１コネクタに接続可能である。この場合、第３コネクタ２０ｂ、第３光電変換回路７１ｂ、第３電光変換回路７２ｂ、第５コネクタ、第５光電変換回路及び第５電光変換回路は省略される。少なくとも一つの第２光ファイバ５０の第２端部５２は、第２電子機器の第２コネクタに接続可能である。この場合、第４コネクタ３０ｂ、第４光電変換回路８１ｂ及び第４電光変換回路８２ｂは省略される。少なくとも一つの光ファイバアレイ４０の第１光ファイバ４１の第２端部４１ｂが第２電子機器の第１コネクタに接続可能であり、少なくとも一つの第２光ファイバ５０の第２端部５２が前記第２電子機器の第２コネクタに接続可能である場合、第２基板１０ｂ、第３コネクタ２０ｂ、第３光電変換回路７１ｂ、第３電光変換回路７２ｂ、第５コネクタ、第５光電変換回路、第５電光変換回路、第４コネクタ３０ｂ、第４光電変換回路８１ｂ及び第４電光変換回路８２ｂが省略される。
【００５９】
以下、図１〜図２に示される光ファイバアレイ４０の第１光ファイバ４１及び第２光ファイバ５０を第１基板１０ａに接続する手順について詳しく説明する。外皮６０で束ねられた二つの光ファイバアレイ４０及び複数の第２光ファイバ５０と、第１基板１０ａとを用意する。第１基板１０ａには二つの第１コネクタ２０ａ及び六つの第２コネクタ３０ａが既に実装されている。一の光ファイバアレイ４０のＹ方向側の端部をＹ’方向側から一の第１コネクタ２０ａに接続させる。すなわち、一の光ファイバアレイ４０の第１光ファイバ４１の第１端部４１ａを一の第１コネクタ２０ａに接続させる。これにより、第１光ファイバ４１の第１端部４１ａの光路と第１コネクタ２０ａの第１変換部とが各々対向し、光接続される。これと同様に、残りの光ファイバアレイ４０のＹ方向側の端部を残りの第１コネクタ２０ａに接続させる。
【００６０】
その一方で、第２光ファイバ５０の第１端部５１をＸ方向又はＸ’方向に湾曲させてＹ’方向側から第２コネクタ３０ａに各々接続させる。これにより、第２光ファイバ５０の第１端部５１の光路と第２コネクタ３０ａの第２変換部とが各々対向し、光接続される。
【００６１】
以上のような接続構造Ｓは、以下の技術的特徴を有している。第１に、光ファイバアレイ４０の第１光ファイバ４１の第１コネクタ２０ａの第１変換部に対する光接続が容易になる。その理由は以下の通りである。第１光ファイバ４１の第１端部４１ａが、Ｙ−Ｙ’方向に直線状に延び、且つＸ−Ｘ’方向に並べられたままの状態で、第１コネクタ２０ａに接続される。これにより、複数の第１光ファイバ４１の第１端部４１ａが第１コネクタ２０ａの複数の第１変換部に一度に光接続される。
【００６２】
第２に、第２光ファイバ５０の第２コネクタ３０ａの第２変換部に対する光接続も容易になる。その理由は以下の通りである。第２コネクタ３０ａが第１コネクタ２０ａのＸ方向の成分を含む方向及びＸ’方向の成分を含む方向の少なくとも一方に配置されている。第２光ファイバ５０の第１端部５１がＸ方向の成分を含む方向及びＸ’方向の成分を含む方向の少なくとも一方に湾曲している。よって、第２光ファイバ５０の第１端部５１を第２コネクタ３０ａに接続し易くなり、その結果、第２光ファイバ５０の第１端部５１を第２コネクタ３０ａの第２変換部に光接続させ易くなる。しかも、第２コネクタ３０ａが複数である場合、他方の第２実装領域１２ａ上の第２コネクタ３０ａは、一方の第２実装領域１２ａ上の第２コネクタ３０ａよりも第１実装領域１１ａ上の第１コネクタ２０ａからＸ−Ｘ’方向において遠く離れた位置に位置し且つ一方の第２実装領域１２ａの第２コネクタ３０ａよりもＹ’方向側の位置に位置した構成とすることが可能である。この場合、第２光ファイバ５０の第１端部５１を第２コネクタ３０ａに接続するときに、隣り合う第２光ファイバ５０の第１端部５１同士が互いに干渉し難くなる。よって、第２光ファイバ５０の第１端部５１を第２コネクタ３０ａに接続し易くなり、その結果、第２光ファイバ５０の第１端部５１を第２コネクタ３０ａの第２変換部に光接続させ易くなる。
【００６３】
第３に、光ファイバアレイ４０及び少なくとも一つの第２光ファイバ５０が外皮６０で一括被覆されている場合、光ファイバアレイ４０及び少なくとも一つの第２光ファイバ５０が一つのケーブル（アクティブオプティカルケーブル）となるので、取り扱いが容易になる。
【００６４】
第４に、光ファイバアレイ４０が高速の光信号を伝送させるのに適し、且つ第２光ファイバ５０が低速の光信号を伝送させるのに適している。その理由は以下の通りである。光ファイバアレイ４０の第１端部４１ａがＹ−Ｙ’方向に直線状に延びている。第２光ファイバ５０の第１端部５１は湾曲しているが、前記湾曲は、第２光ファイバ５０の低速の光信号の伝送に大きな問題を生じさせない。なお、高速の光信号は、例えば、映像信号等である。低速の光信号は、例えば、制御信号や音声信号等である。この場合、第１電光変換部２２ａ及び第３電光変換部２２ｂは、赤外波長の光信号を照射可能な発光素子（例えば、Vertical Cavity Surface Emitting LASER（VCSEL））であると良い。第２電光変換部３２ａ及び第４電光変換部３２ｂは、赤色波長の光信号を照射可能な発光素子（例えば、発光ダイオード）であると良い。
【００６５】
第５に、下記１）〜４）場合、接続構造Ｓ、第１電子機器、及び第２電子機器によって、第１電子機器と第２電子器との間で光信号を伝送可能な光伝送システムが構築される。１）第１基板１０ａが第１電子機器内に内蔵され、且つ第２基板１０ｂが第２電子機器に内蔵される。２）第１基板１０ａが第１電子機器内に内蔵され、光ファイバアレイ４０の第１光ファイバ４１の第２端部４１ｂが第２電子機器の第１コネクタに接続され、且つ第２光ファイバ５０の第２端部５２が第２電子機器の第２コネクタに接続される。３）第１基板１０ａが第１電子機器内に内蔵され、第２光ファイバ５０の第２端部５２が接続された第２基板１０ｂが第２電子機器に内蔵され、且つ光ファイバアレイ４０の第１光ファイバ４１の第２端部４１ｂが第２電子機器の第１コネクタに接続される。４）第１基板１０ａが第１電子機器内に内蔵され、光ファイバアレイ４０の第１光ファイバ４１の第２端部４１ｂが接続された第２基板１０ｂが第２電子機器に内蔵され、且つ第２光ファイバ５０の第２端部５２が第２電子機器の第２コネクタに接続される。
【００６６】
なお、上記した接続構造は、上記実施例に限定されるものではなく、特許請求の範囲の記載範囲において任意に設計変更することが可能である。
【００６７】
なお、上記実施例及び設計変形例における接続構造の各構成要素を構成する素材、形状、寸法、数及び配置等はその一例を説明したものであって、同様の機能を実現し得る限り任意に設計変更することが可能である。上記した実施例及び設計変更例は、互いに矛盾しない限り、相互に組み合わせることが可能である。本発明の第１方向は、光ファイバアレイの複数の第１光ファイバの配列方向である限り任意に設定可能である。本発明の第２方向は、第１方向に直交している限り任意に設定可能である。
【符号の説明】
【００６８】
Ｓ：接続構造
１０ａ：第１基板
１１ａ：第１実装領域
１２ａ：第２実装領域
２０ａ：第１コネクタ
２１ａ：第１光電変換部
２２ａ：第１電光変換部
３０ａ：第２コネクタ
３１ａ：第２光電変換部
３２ａ：第２電光変換部
４０：光ファイバアレイ
４１：第１光ファイバ
４１ａ：第１端部
４１ｂ：第２端部
４２：樹脂部
５０：第２光ファイバ
５１：第１端部
５２：第２端部
６０：外皮
７１ａ：第１光電変換回路
７２ａ：第１電光変換回路
８１ａ：第２光電変換回路
８２ａ：第２電光変換回路
１０ｂ：第２基板
１１ｂ：第１実装領域
１２ｂ：第２実装領域
２０ｂ：第３コネクタ
２１ｂ：第３光電変換部
２２ｂ：第３電光変換部
３０ｂ：第４コネクタ
３１ｂ：第４光電変換部
３２ｂ：第４電光変換部
７１ｂ：第３光電変換回路
７２ｂ：第３電光変換回路
８１ｂ：第４光電変換回路
８２ｂ：第４電光変換回路
【図１】
2018081120.tif 000003
【図２】
2018081120.tif 000004
【図３】
2018081120.tif 000005